(57)【要約】【課題】この発明はＣＰＡＰ療法を行う際に使い易くしたマットレス装置を提供することにある。【解決手段】スプリングユニット２と、スプリングユニットの長手方向の一端部に厚さ方向に貫通して形成された挿通孔１１と、スプリングユニットの長手方向一端部の下面に一端が挿通孔に連通し他端がスプリングユニットの側面に開口して形成された連通溝９を具備する。【選択図】      図３
2010063635.tif 000002
【特許請求の範囲】
【請求項１】
マットレス本体と、
このマットレス本体の長手方向の一端部に厚さ方向に貫通して形成された挿通孔と、
上記マットレス本体の長手方向一端部の下面に一端が上記挿通孔に連通し他端が上記マットレス本体の側面に開口して形成された連通溝と
を具備したことを特徴とするマットレス装置。
【請求項２】
上記マットレス本体はスプリングユニットによって構成されていて、
このスプリングユニットは長手方向の一端部において第１の部分と第２の部分とに分割されていて、
上記第１の部分と第２の部分との間には上記スプリングユニットの幅方向全長にわたってクッション体が介装され、このクッション体の長手方向中央部に上記挿通孔が形成され、下面に上記連通溝が長手方向全長にわたって形成されていることを特徴とする請求項１記載のマットレス装置。
【請求項３】
上記スプリングユニットの第１の部分と第２の部分は、上記クッション体を挟んで矩形状の連結枠によって連結されていることを特徴とする請求項２記載のマットレス装置。
【請求項４】
上記マットレス本体は外装地によって被覆され、この外装地の上記連通溝に対応する箇所には開口部が形成されていることを特徴とする請求項２記載のマットレス装置。
【請求項５】
一端が送気装置に接続され他端がマットレス上の利用者に装着されるマスクに接続された送気チューブが上記連通溝及び挿通孔を通されることを特徴とする請求項１記載のマットレス装置。
【発明の詳細な説明】
【技術分野】
【０００１】
この発明はＣＰＡＰ療法を行う際に好適するマットレス装置に関する。
【背景技術】
【０００２】
閉塞型睡眠時無呼吸症候群は、睡眠中に何らかの原因によって気道が閉塞し、無呼吸や低呼吸による酸素不足或いは睡眠の質が低下するなどのことがある。そこで、閉塞型睡眠時無呼吸症候群の患者は睡眠時に持続的陽圧呼吸法（以下、ＣＰＡＰ療法という）を行うようにしている。
【０００３】
ＣＰＡＰ療法では周知のように、患者がマスクを装着し、そのマスクに送気装置から加圧された空気或いは呼吸可能なガスを送気チューブを通じて送るようにしている。空気の圧力は患者が息を吸っているときも吐いているときも肺の中に送り込まれるように設定される。それによって、気道が確保されるため、睡眠中に患者が無呼吸や低呼吸になるのが防止される。特許文献１にはＣＰＡＰ療法に用いられるマスクが開示されている。
【特許文献１】特開２００８−７３５５０号公報
【発明の開示】
【発明が解決しようとする課題】
【０００４】
患者がマットレス装置上でＣＰＡＰ療法を受ける場合、患者が装着したマスクと、送気装置を連通した送気チューブが患者の頭部の側方に弛んだ状態となるため、その送気チューブが邪魔になるということがあった。
【０００５】
しかも、患者が仰臥した寝姿勢から横向きや伏臥した寝姿勢をとると、患者が装着したマスクがマットレス装置の上面に強く当たるから、患者が顔面がマスクによって圧迫されて寝心地が低下するということがある。
【０００６】
この発明は、患者が装着したマスクに接続された送気チューブが邪魔ないなることがなく、しかも患者が寝姿勢を横向きや下向きに変えたときに顔面がマスクによって圧迫され難くなるようにしたマットレス装置を提供することにある。
【課題を解決するための手段】
【０００７】
この発明は、マットレス本体と、
このマットレス本体の長手方向の一端部に厚さ方向に貫通して形成された挿通孔と、
上記マットレス本体の長手方向一端部の下面に一端が上記挿通孔に連通し他端が上記マットレス本体の側面に開口して形成された連通溝と
を具備したことを特徴とするマットレス装置にある。
【０００８】
上記マットレス本体はスプリングユニットによって構成されていて、
このスプリングユニットは長手方向の一端部において第１の部分と第２の部分とに分割されていて、
上記第１の部分と第２の部分との間には上記スプリングユニットの幅方向全長にわたってクッション体が介装され、このクッション体の長手方向中央部に上記挿通孔が形成され、下面に上記連通溝が長手方向全長にわたって形成されていることが好ましい。
【０００９】
上記スプリングユニットの第１の部分と第２の部分は、上記クッション体を挟んで矩形状の連結枠によって連結されていることが好ましい。
【００１０】
上記マットレス本体は外装地によって被覆され、この外装地の上記連通溝に対応する箇所には開口部が形成されていることが好ましい。
【００１１】
一端が送気装置に接続され他端がマットレス上の利用者に装着されるマスクに接続された送気チューブが上記連通溝及び挿通孔を通されることが好ましい。
【発明の効果】
【００１２】
この発明によれば、送気装置とマスクを接続する送気チューブを、マットレス本体の側面に開口した連通溝に通し、この連通溝から挿通孔を通してマットレス本体の上面に導出することができる。
【００１３】
そのため、患者の頭部の側方で送気チューブを大きく弛ませずにすむから、邪魔になり難く、しかも患者が寝姿勢を横向きや下向きに変えたとき、マスクは挿通孔内に入り込むから、患者の顔面がマスクによって圧迫され難くなる。
【発明を実施するための最良の形態】
【００１４】
以下、この発明の一実施の形態を図面を参照しながら説明する。
【００１５】
図１はマットレス装置１の平面図、図２は側面図、図３は内部構造を示す平面図、図４はその側面図である。上記マットレス装置１は図３と図４に示すようにマットレス本体としてのスプリングユニット２を備えている。このスプリングユニット２は、多数のポケットコイルスプリング３が行列状に配置されていて、その上下面の周縁部にそれぞれ補強用の枠線４が図示しないクリップによって取付けられている。
【００１６】
上記スプリングユニット２は長手方向の一端部において第１の部分２ａと第２の部分２ｂとに分割されている。第１の部分２ａと第２の部分２ｂとの間には、たとえばウレタンフォームなどの弾性材によって柱状に成形されたクッション体６がスプリングユニット２の幅方向全長にわたって介装されている。
【００１７】
上記クッション体６は、図４に示すように上記スプリングユニット２の厚さ寸法の約半分の厚さで、下面には長手方向全長にわたって凹曲面７が形成されていて、その長手方向の中央部の両側面には図５（ａ）〜（ｃ）に示すように上記クッション体６と同じ材料によってスプリングユニット２の厚さと同じ高さ寸法に形成された支持部材８が取付けられている。
【００１８】
それによって、上記クッション体６の下面には、図４に示すようにスプリングユニット２の幅方向全長にわたる連通溝９が形成されている。なお、クッション体６と支持部材８は一体成形してもよい。
【００１９】
上記クッション体６の長手方向の中央部には厚さ方向に貫通した挿通孔１１が形成されている。上記連通溝９は長手方向中央部が上記挿通孔１１に連通し、両端が上記スプリングユニット２の側面に開口している。
【００２０】
図３に示すように、上記スプリングユニット２の分割された第１の部分２ａと第２の部分２ｂは連結枠１３によって連結されている。それによって、上記スプリングユニット２の第１の部分２ａと第２の部分２ｂはクッション体６を挟んで上記枠線４と連結枠１３によって一体的に連結されている。
【００２１】
スプリングユニット２を第１の部分２ａと第２の部分２ｂに分割し、その間にクッション体６を設けることで、スプリングユニット２に厚さ方向に貫通する挿通孔１１を容易に形成することが可能となる。しかも、分割されたスプリングユニット２の第１の部分２ａと第２の部分２ｂを連結枠１３で連結することで、スプリングユニット２の強度が低下することもない。
【００２２】
図１と図２に示すように、上記スプリングユニット２は袋状に縫製された外装地１４によって被覆されている。この外装地１４の上記連通溝９の両端に対向する部分には第１の開口部１５（図２に一方だけ示す）が形成され、上記クッション体６の挿通孔１１に対向する上面には第２の開口部１６が形成されている。それによって、上記連通溝９の両端は上記開口部１５によって外部に開口している。  
上記挿通孔１１には図２に示すように上記第２の開口部１６からクッション材料によって形成された入れ子１７を着脱可能に装着される。それによって、上記挿通孔１１を閉塞できるようになっている。
【００２３】
なお、マットレス装置１の下面の上記挿通孔１１と対向する部位には、図１に鎖線で示すフィルタ部材１８（図４に示す）が設けられている。このフィルタ部材１８は面ファスナが設けられた保持布１９によって上記外装地１４に着脱可能に保持される。
【００２４】
このように構成されたマットレス装置１の上面には図６に示すように利用者Ｕが仰臥する。利用者Ｕが閉塞型睡眠時無呼吸症候群である場合、睡眠中にＣＰＡＰ療法が行われる。ＣＰＡＰ療法を行うには利用者Ｕがマスク２１を装着する。
【００２５】
上記マスク２１は送気チューブ２２によって送気装置２３に接続される。それによって、利用者Ｕには睡眠中に所定の圧力の空気が送り込まれるから、気道が確保されることになる。なお、利用者Ｕは必要に応じて図６に鎖線で示す枕Ｐを用いる。
【００２６】
上記送気チューブ２２はマットレス装置１の側面の外装地１４に形成された第１の開口部１５からクッション体６の下面、つまりスプリングユニット２の下面に形成された連通溝９に挿入され、この連通溝９から挿通孔１１を通して第２の開口部１６から外部に導出されてマスク２１に接続される。
【００２７】
そのため、送気チューブ２２がマットレス装置１の上面の利用者Ｕの頭部の側方などに大きく露出して邪魔になるということがほとんどない。なお、ＣＰＡＰ療法を行う場合、挿通孔１１に入れられた入れ子１７は予め取り外しておく。
【００２８】
マスク２１を装着した利用者Ｕが頭部を挿通孔１１に対向位置させた状態で横向きや下向き、とくに下向きに寝姿勢を変えた場合、マスク２１が上記挿通孔１１内に入り込む。そのため、マスク２１がマットレス装置１の上面に強く押付けられることがないから、利用者Ｕの顔面がマスク２１によって圧迫され難くなる。
【００２９】
とくに、最近ではうつ伏せで就寝する人がいるから、そのような利用者ＵがＣＰＡＰ療法を必要とする場合に上記構成のマットレス装置１が便利である。
【００３０】
送気チューブ２２を通す連通溝９はスプリングユニット２の幅方向全長にわたって形成されている。つまり、マットレス装置１の両側面に開口している。そのため、マットレス装置１の一側面がたとえば壁面側にあるような場合、送気チューブ２２を他側面の第１の開口部１５から通すことができる。つまり、マットレス装置１の設置状態に係らず、送気チューブ２２を連通溝９から挿通孔１１に通すことができる。
【００３１】
なお、この発明は上記一実施の形態に限定されるものでなく、たとえばマットレス本体としてのスプリングユニットはポケットコイルスプリング以外のスプリングを用いて構成してもよく、またスプリングユニットに代えてウレタンフォームなどの弾性材料で形成するようにしてもよい。
【００３２】
さらに、マットレス本体の長手方向の一端部の下面に幅方向全長にわたって連通溝を形成したが、連通溝は一端が挿通孔に連通し他端がマットレス本体の側面に開口していればよいから、たとえばマットレス本体の幅方向の半分だけに形成したり、或いは他端をマットレス本体の長手方向一端面に開口するよう形成してもよい。
【図面の簡単な説明】
【００３３】
【図１】この発明の一実施の形態を示すマットレス装置の平面図。
【図２】図１に示すマットレス装置の側面図。
【図３】スプリングユニットの平面図。
【図４】図３に示すスプリングユニットの側面図。
【図５】（ａ）〜（ｃ）はクッション体の三面図。
【図６】利用者がＣＰＡＰ療法を受けているときの説明図。
【符号の説明】
【００３４】
２…スプリングユニット、９…連通溝、１１…挿通孔、１４…外装地、１５…第１の開口部、１６…第２の開口部、２１…マスク、２２…送気チューブ、２３…送気装置。
【図１】
2010063635.tif 000003
【図２】
2010063635.tif 000004
【図３】
2010063635.tif 000005
【図４】
2010063635.tif 000006
【図５】
2010063635.tif 000007
【図６】
2010063635.tif 000008